(57)【要約】【課題】高負荷域での異常燃焼の抑制と燃費性能の向上とを両立する。【解決手段】本発明の制御装置は、インジェクタから噴射された燃料を空気と混合しつつ自着火により燃焼させる予混合圧縮着火燃焼が可能なエンジンに適用される。エンジン負荷が高い高負荷域における低速側の一部である低速・高負荷域での運転時は、インジェクタ１５に前段噴射Ｆａおよび後段噴射Ｆｂを実行させるとともに、後段噴射Ｆｂの噴射時期を圧縮行程後半に設定する。低速・高負荷域において、回転速度が高いときの後段噴射Ｆｂの噴射時期は、回転速度が低いときの後段噴射Ｆｂの噴射時期よりも遅くされるとともに、回転速度が高いときの後段噴射Ｆｂの噴射量割合は、回転速度が低いときの後段噴射Ｆｂの噴射量割合よりも小さくされる。【選択図】図９
2020176570.tif 000002
【特許請求の範囲】
【請求項１】
燃焼室と当該燃焼室に燃料を噴射するインジェクタとを備えた予混合圧縮着火式エンジンを制御する装置であって、
エンジン負荷が高い高負荷域において、圧縮行程中に燃料を噴射する後段噴射と、吸気行程または圧縮行程前半に含まれかつ後段噴射よりも早い時期に燃料を噴射する前段噴射とを前記インジェクタに実行させるとともに、噴射された燃料と空気との混合気が予混合圧縮着火燃焼により燃焼するようにエンジンの各部を制御する燃焼制御部とを備え、
前記燃焼制御部は、前記高負荷域における低速側の一部である低速・高負荷域での運転時に、前記後段噴射の噴射時期を圧縮行程後半に設定するとともに、回転速度が高いときの前記後段噴射の噴射時期が回転速度が低いときの前記後段噴射の噴射時期よりも遅くなり、かつ回転速度が高いときの前記後段噴射の噴射量割合が回転速度が低いときの前記後段噴射の噴射量割合よりも小さくなるように、前記インジェクタを制御する、ことを特徴とする予混合圧縮着火式エンジンの制御装置。
【請求項２】
請求項１に記載の予混合圧縮着火式エンジンの制御装置において、
前記燃焼制御部は、前記低速・高負荷域での運転時に、回転速度が高くなるほど前記後段噴射の噴射時期が遅くなりかつ噴射量割合が小さくなるように、前記インジェクタを制御する、ことを特徴とする予混合圧縮着火式エンジンの制御装置。
【請求項３】
請求項１または２に記載の予混合圧縮着火式エンジンの制御装置において、
前記燃焼制御部は、前記高負荷域に含まれかつ前記低速・高負荷域よりも高速側に位置する中速・高負荷域において、前記前段噴射および前記後段噴射を前記インジェクタに実行させて混合気を予混合圧縮着火燃焼により燃焼させるとともに、前記後段噴射の噴射時期を前記低速・高負荷域における最も高速側での噴射時期よりも早くする、ことを特徴する予混合圧縮着火式エンジンの制御装置。
【請求項４】
請求項３に記載の予混合圧縮着火式エンジンの制御装置において、
前記燃焼制御部は、前記中速・高負荷域での運転時に、前記後段噴射の噴射量割合を前記低速・高負荷域における最も高速側での噴射量割合よりも大きくする、ことを特徴とする予混合圧縮着火式エンジンの制御装置。
【請求項５】
請求項３または４に記載の予混合圧縮着火式エンジンの制御装置において、
前記燃焼制御部は、前記中速・高負荷域における低速側の一部である第１中速・高負荷域での運転時に、回転速度が高くなるほど前記後段噴射の噴射時期が早くなるように前記インジェクタを制御する、ことを特徴とする予混合圧縮着火式エンジンの制御装置。
【請求項６】
請求項５に記載の予混合圧縮着火式エンジンの制御装置において、
前記燃焼制御部は、前記中速・高負荷域における高速側の一部である第２中速・高負荷域での運転時に、回転速度に拠らず前記後段噴射の噴射時期を圧縮行程前半の所定時期に保持する、ことを特徴とする予混合圧縮着火式エンジンの制御装置。
【請求項７】
請求項１〜６のいずれか１項に記載の予混合圧縮着火式エンジンの制御装置において、
前記エンジンは、前記燃焼室に連通する吸気通路および排気通路と、排気通路に排出された排気ガスを吸気通路に還流するＥＧＲ装置とを備え、
前記燃焼制御部は、前記高負荷域よりも負荷が低い中負荷域において混合気を予混合圧縮着火燃焼により燃焼させるとともに、前記ＥＧＲ装置を通じて前記燃焼室に還流される排気ガスの割合である外部ＥＧＲ率が前記中負荷域よりも前記高負荷域で低くなるように前記ＥＧＲ装置を制御する、ことを特徴とする予混合圧縮着火式エンジンの制御装置。
【請求項８】
請求項１〜７のいずれか１項に記載の予混合圧縮着火式エンジンの制御装置において、
前記エンジンは、前記燃焼室内の混合気に点火する点火プラグを備え、
前記燃焼制御部は、前記高負荷域での運転時に、前記混合気の一部が前記点火プラグの点火点からの火炎伝播により燃焼しかつその他の混合気が自着火により燃焼する部分圧縮着火燃焼が行われるように、圧縮上死点の近傍の所定のタイミングで前記点火プラグに火花点火を行わせる、ことを特徴とする予混合圧縮着火式エンジンの制御装置。
【発明の詳細な説明】
【技術分野】
【０００１】
本発明は、燃焼室に噴射された燃料を空気と混合しつつ自着火により燃焼させる予混合圧縮着火燃焼が可能なエンジンを制御する装置に関する。
【背景技術】
【０００２】
近年、空気と混合されたガソリン燃料を燃焼室内で自着火により燃焼させる予混合圧縮着火燃焼（ＨＣＣＩ燃焼）が注目されている。予混合圧縮着火燃焼は、混合気が同時多発的に燃焼する形態であるため、通常のガソリンエンジンにおいて採用されるＳＩ燃焼（火花点火燃焼）に比べて、混合気の燃焼速度が速く、燃費性能（熱効率）の面で非常に有利だと言われている。
【０００３】
上記予混合圧縮着火燃焼の一種として、混合気の自着火による燃焼と点火プラグを用いた強制燃焼とを組み合わせた燃焼形式が提案されている。すなわち、火花点火をきっかけに混合気の一部を火炎伝播により強制的に燃焼（ＳＩ燃焼）させ、その他の混合気を自着火により燃焼（ＣＩ燃焼）させるのである。以下では、このような燃焼のことを部分圧縮着火燃焼という。
【０００４】
上記部分圧縮着火燃焼を採用したエンジンの一例として、下記特許文献１のものが知られている。具体的に、この特許文献１のエンジンでは、部分圧縮着火燃焼（同文献中ではＳＩ−ＣＩ燃焼と称されている）の実行時に、１サイクル中の全熱発生量に対するＳＩ燃焼による熱発生量の割合であるＳＩ率が、エンジン負荷（目標トルク）に応じて定まる目標値（目標ＳＩ率）に一致するように、燃焼室内のＥＧＲ率や点火プラグによる火花点火の時期等が制御される。
【先行技術文献】
【特許文献】
【０００５】
【特許文献１】特開２０１８−０８４１８３号公報
【発明の概要】
【発明が解決しようとする課題】
【０００６】
ここで、上記特許文献１のエンジンでは、混合気の部分圧縮着火燃焼を可能とするために、幾何学的圧縮比が比較的高い値（例えば１７以上２０以下）に設定されている。このような高い圧縮比は、特にエンジンの高負荷域においてプリイグニッションやノッキング等の異常燃焼を誘発し易い。この点、上記特許文献１では、高負荷域での燃焼形式を部分圧縮着火燃焼からＳＩ燃焼に切り替える、つまり混合気の全てを火花点火により強制燃焼させる燃焼形式に切り替えるようにしている。しかしながら、このようにエンジンの高負荷域において部分圧縮着火燃焼を禁止する（全ての混合気をＳＩ燃焼させる）ようにした場合には、異常燃焼を回避することはできても、十分な燃費向上効果は得られなくなる。
【０００７】
本発明は、上記のような事情に鑑みてなされたものであり、高負荷域での異常燃焼の抑制と燃費性能の向上とを両立することが可能な予混合圧縮着火式エンジンの制御装置を提供することを目的とする。
【課題を解決するための手段】
【０００８】
前記課題を解決するために、本願発明者等は、エンジンの高負荷域において異常燃焼を伴わない部分圧縮着火燃焼を可能にするために、吸気行程だけでなく圧縮行程後半にも燃料を噴射し、これによって燃焼室を冷却して異常燃焼を抑制することを検討した。一方、圧縮行程後半という遅い時期の燃料噴射（以下、後段噴射という）は、局所リッチな混合気の形成につながるので、燃料の未燃成分が増大して燃費性能が悪化することが懸念される。しかしながら、検討の結果、高負荷域での部分圧縮着火燃焼の実現のために後段噴射を実行したとしても、当該後段噴射による燃費性能の悪化代は予想よりも少なく済むこと、つまり部分圧縮着火燃焼を採用することによる燃費向上代が後段噴射による燃費悪化代を十分に補うことが分かった。このことは、部分圧縮着火燃焼（つまり混合気の一部を予混合圧縮着火燃焼させる燃焼形態）を採用した場合に限らず、混合気の全てを予混合圧縮着火燃焼させる燃焼形態を採用した場合でも同様である。
【０００９】
本発明は、前記のような知見に基づきなされたものである。すなわち、本発明は、燃焼室と当該燃焼室に燃料を噴射するインジェクタとを備えた予混合圧縮着火式エンジンを制御する装置であって、エンジン負荷が高い高負荷域において、圧縮行程中に燃料を噴射する後段噴射と、吸気行程または圧縮行程前半に含まれかつ後段噴射よりも早い時期に燃料を噴射する前段噴射とを前記インジェクタに実行させるとともに、噴射された燃料と空気との混合気が予混合圧縮着火燃焼により燃焼するようにエンジンの各部を制御する燃焼制御部とを備え、前記燃焼制御部は、前記高負荷域における低速側の一部である低速・高負荷域での運転時に、前記後段噴射の噴射時期を圧縮行程後半に設定するとともに、回転速度が高いときの前記後段噴射の噴射時期が回転速度が低いときの前記後段噴射の噴射時期よりも遅くなり、かつ回転速度が高いときの前記後段噴射の噴射量割合が回転速度が低いときの前記後段噴射の噴射量割合よりも小さくなるように、前記インジェクタを制御する、ことを特徴とするものである（請求項１）。
【００１０】
本発明によれば、熱発生量が多くなるエンジンの高負荷域において、吸気行程等の比較的早い時期に燃料を噴射する前段噴射に加えて、圧縮行程中に燃料を噴射する後段噴射が実行されるので、混合気が予混合圧縮着火燃焼を開始する直前（圧縮上死点の近傍）での燃焼室の温度を後段噴射の気化潜熱により低下させることができ、前記高負荷域において懸念される異常燃焼の発生を効果的に抑制することができる。
【００１１】
特に、前記高負荷域の中でも低速側に位置する低速・高負荷域では、後段噴射の噴射時期が圧縮行程後半まで遅角されるので、圧縮行程後半に生じ得る燃料の低温酸化反応を抑制することができ、混合気が過早に着火する異常燃焼であるプリイグニッションを抑制することができる。低温酸化反応とは、火炎を伴いながら高い熱エネルギーを発生させる高温酸化反応（実質的な燃焼反応）よりも前に生じる緩慢な酸化反応のことであり、燃焼室が高温になる圧縮行程の後半で生じ得ることが知られている。本願発明者等の知見によれば、この低温酸化反応は、前記低速・高負荷域のような運転条件、つまり回転速度が低くかつ負荷が高い条件下で顕著に出現し易い。しかも、低温酸化反応が顕著に出現すると、その反応熱によって燃焼室内の混合気（燃焼前の混合気）の温度が上昇するので、正規の燃焼開始時期よりも早くに混合気が自着火する現象であるプリイグニッションの発生確率が高くなる。これに対し、本発明では、低速・高負荷領域での運転時に、低温酸化反応が生じ易い環境になる圧縮行程後半まで後段噴射の噴射時期が遅角されるので、当該後段噴射の気化潜熱による冷却効果によって低温酸化反応の反応レベルを十分に低下させることができ、当該低温酸化反応に起因してプリイグニッション等の異常燃焼が誘発されるのを効果的に抑制することができる。
【００１２】
しかも、低速・高負荷域での後段噴射の噴射時期および噴射量割合が、エンジン回転速度に応じて変更される、つまり回転速度が高い（低い）ときは後段噴射の噴射時期が遅く（早く）かつ噴射量割合が小さく（大きく）されるので、低温酸化反応の出現傾向に合わせた適切な時期に後段噴射を実行することができ、低速・高負荷域で懸念されるプリイグニッション等の異常燃焼を効果的に抑制することができる。
【００１３】
すなわち、本願発明者等の知見によれば、低温酸化反応はエンジン回転速度が高くなるほどその出現時期が遅くなり、かつ反応レベルも低くなる。これに対し、本発明では、低速・高負荷域内で回転速度が上昇したときには後段噴射の噴射時期が圧縮行程後半の中でもより遅い時期までシフトされるので、回転速度が高いほど出現時期が遅くなる前記低温酸化反応に合わせるように後段噴射を行うことができ、当該後段噴射によって燃焼室を冷却して低温酸化反応の出現を抑制することができる。ただし、このように回転速度の上昇に応じて後段噴射の噴射時期を遅くした場合には、当該後段噴射の終了から燃焼開始までの期間がかなり短くなるので、燃焼が開始される直前の燃焼室内に局所リッチな混合気が形成され易くなり、スモークが発生したりＮＯｘの発生量が増大したりすることが懸念される。これに対し、本発明では、回転速度の上昇に伴う後段噴射の遅角化と併せて、後段噴射の噴射量割合を小さくする対策が採られるので、前記のような不具合（スモークの発生等）を回避してエミッション性能を良好に維持することができる。しかも、上述のとおりエンジン回転速度が高い条件では低温酸化反応の反応レベルが低下するので、回転速度の上昇に応じて後段噴射の噴射量割合を小さくする前記の対策を採ったとしても、低温酸化反応は顕在化せず、プリイグニッション等の異常燃焼は抑制される。
【００１４】
さらに、圧縮行程後半の後段噴射によって、低速・高負荷域にて異常燃焼を伴わない予混合圧縮着火燃焼が可能になるので、仮に同運転領域で予混合圧縮着火燃焼を禁止した場合（通常のＳＩ燃焼に切り替えた場合）に比べて、熱効率に優れた予混合圧縮着火燃焼の実行領域を拡大することができる。圧縮行程後半に後段噴射を実行することは、前記のとおり局所リッチな混合気の形成につながるので、燃料が未燃のまま排出される割合が増大し、燃費性能の悪化につながるおそれがある。しかしながら、本願発明者等の知見によれば、この未燃成分の増大による燃費性能の悪化代は、予混合圧縮着火燃焼を実行することによる燃費向上代によって十分に補うことができる。すなわち、低速・高負荷域にて後段噴射を実行しつつ混合気を予混合圧縮着火燃焼させる本発明によれば、特段の燃費性能の悪化を招くことなく予混合圧縮着火燃焼の実行領域を拡大することができ、エンジンの燃費性能を実質的に向上させることができる。
【００１５】
好ましくは、前記燃焼制御部は、前記低速・高負荷域での運転時に、回転速度が高くなるほど前記後段噴射の噴射時期が遅くなりかつ噴射量割合が小さくなるように、前記インジェクタを制御する（請求項２）。
【００１６】
この構成によれば、低温酸化反応の出現時期および反応レベルを左右するエンジン回転速度の高低に応じて後段噴射の時期および噴射量割合を適切に調整することができる。
【００１７】
好ましくは、前記燃焼制御部は、前記高負荷域に含まれかつ前記低速・高負荷域よりも高速側に位置する中速・高負荷域において、前記前段噴射および前記後段噴射を前記インジェクタに実行させて混合気を予混合圧縮着火燃焼により燃焼させるとともに、前記後段噴射の噴射時期を前記低速・高負荷域における最も高速側での噴射時期よりも早くする（請求項３）。
【００１８】
この構成によれば、低温酸化反応がより出現し難くなる条件で後段噴射が無用に遅角されるのを回避でき、異常燃焼を抑制しつつ燃費性能等を良好に確保することができる。すなわち、回転速度が相対的に高い中速・高負荷域では、低温酸化反応の出現時期がより遅くなる（圧縮上死点に近づく）ものの、その反応レベルはかなり低いものとなる。また、ピストンによる混合気の圧縮開始から圧縮終了までの実時間（混合気の受熱時間）が短くなるので、混合気が過早に着火するような現象は起き難くなり、プリイグニッションの発生リスクは非常に低くなる。むしろ、中速・高負荷域では、ノッキング、つまり混合気の燃焼途中にその燃焼領域の外側に位置する未燃ガスが局所自着火により急速燃焼する異常燃焼が起き易くなる。ノッキングは、プリイグニッションに比べればエンジンに及ぼす影響は少ないといえる。前記構成では、このように低温酸化反応が弱まりかつ異常燃焼のリスクが低くなる中速・高負荷域において、後段噴射の噴射時期が早められるので、それによって後段噴射の噴射時期が低温酸化反応の出現時期よりも進角側にずれることになっても、プリイグニッションおよびノッキングが発生しない程度には低温酸化反応を抑制することができる。また、後段噴射の進角化によって混合気の局所リッチ化が軽減されるので、燃費性能およびエミッション性能に優れた燃焼を実現することができる。
【００１９】
前記構成において、より好ましくは、前記燃焼制御部は、前記中速・高負荷域での運転時に、前記後段噴射の噴射量割合を前記低速・高負荷域における最も高速側での噴射量割合よりも大きくする（請求項４）。
【００２０】
この構成によれば、前記のように後段噴射の噴射時期が早められたとしても、当該後段噴射による異常燃焼の抑制効果が極端に弱まることがなく、異常燃焼の抑制効果を十分に確保することができる。
【００２１】
前記構成において、より好ましくは、前記燃焼制御部は、前記中速・高負荷域における低速側の一部である第１中速・高負荷域での運転時に、回転速度が高くなるほど前記後段噴射の噴射時期が早くなるように前記インジェクタを制御する（請求項５）。
【００２２】
この構成によれば、回転速度の上昇に伴い漸減する低温酸化反応のレベルに合わせて適切に後段噴射の噴射時期を早めることができ、異常燃焼を抑制しつつ燃費性能およびエミッション性能を向上させることができる。
【００２３】
前記構成において、より好ましくは、前記燃焼制御部は、前記中速・高負荷域における高速側の一部である第２中速・高負荷域での運転時に、回転速度に拠らず前記後段噴射の噴射時期を圧縮行程前半の所定時期に保持する（請求項６）。
【００２４】
この構成によれば、低温酸化反応がほとんど出現しない速度域まで回転速度が上昇したのに合わせて後段噴射を十分に進角させることができ、燃費性能およびエミッション性能への悪影響を可及的に低減することができる。
【００２５】
好ましくは、前記エンジンは、前記燃焼室に連通する吸気通路および排気通路と、排気通路に排出された排気ガスを吸気通路に還流するＥＧＲ装置とを備え、前記燃焼制御部は、前記高負荷域よりも負荷が低い中負荷域において混合気を予混合圧縮着火燃焼により燃焼させるとともに、前記ＥＧＲ装置を通じて前記燃焼室に還流される排気ガスの割合である外部ＥＧＲ率が前記中負荷域よりも前記高負荷域で低くなるように前記ＥＧＲ装置を制御する（請求項７）。
【００２６】
このように、エンジンの高負荷域で外部ＥＧＲ率を相対的に低くするようにした場合には、高負荷域において燃焼室に十分な量の空気を導入することができ、負荷に見合った十分に高いトルクを発生させることができる。一方、高負荷域で外部ＥＧＲ率が低くされると異常燃焼（プリイグニッションまたはノッキング）の発生リスクが高まるが、この異常燃焼は上述した後段噴射の効果によって十分に抑制される。すなわち、前記構成によれば、高い出力トルクを確保しつつ異常燃焼を抑制することができる。
【００２７】
好ましくは、前記エンジンは、前記燃焼室内の混合気に点火する点火プラグを備え、前記燃焼制御部は、前記高負荷域での運転時に、前記混合気の一部が前記点火プラグの点火点からの火炎伝播により燃焼しかつその他の混合気が自着火により燃焼する部分圧縮着火燃焼が行われるように、圧縮上死点の近傍の所定のタイミングで前記点火プラグに火花点火を行わせる（請求項８）。
【００２８】
このように、点火プラグによる火花点火をきっかけに混合気の一部を火炎伝播により燃焼させるようにした場合には、火花点火の時期に応じて混合気の着火時期を的確に調整することができ、外部環境や負荷等の変動にかかわらず安定した出力を発揮する実用性に優れたエンジンを実現することができる。
【発明の効果】
【００２９】
以上説明したように、本発明の予混合圧縮着火式エンジンの制御装置によれば、高負荷域での異常燃焼の抑制と燃費性能の向上とを両立することができる。
【図面の簡単な説明】
【００３０】
【図１】本発明の一実施形態にかかる圧縮着火式エンジンの全体構成を概略的に示すシステム図である。
【図２】エンジン本体の断面図とピストンの平面図とを併せて示した図である。
【図３】吸気弁および排気弁のリフトカーブを示す図である。
【図４】エンジンの制御系統を示すブロック図である。
【図５】エンジンの運転領域を燃焼形態の相違により区分けした運転マップである。
【図６】ＳＰＣＣＩ燃焼（部分圧縮着火燃焼）時の熱発生率の波形を示すグラフである。
【図７】図５のマップ中の第１運転領域（Ａ１）を燃料噴射制御の相違により区分けした拡大運転マップである。
【図８】エンジンの運転中に実行される制御動作を説明するためのフローチャートである。
【図９】図７のマップ中の高負荷域（Ｄ１）において実行される燃料の噴射パターンを示すタイムチャートであり、（ａ）〜（ｅ）はエンジン回転速度が異なる各条件での噴射パターンを示している。
【図１０】図７のマップ中の中負荷域（Ｄ２）において実行される燃料の噴射パターンを示すタイムチャートである。
【図１１】上記高負荷域および中負荷域において設定される外部ＥＧＲ率のエンジン負荷に応じた変化を示すグラフである。
【図１２】上記高負荷域において実行される前段噴射および後段噴射の各開始時期とエンジン回転速度との関係を示すグラフである。
【図１３】上記前段噴射および後段噴射の各噴射量割合とエンジン回転速度との関係を示すグラフである。
【発明を実施するための形態】
【００３１】
（１）エンジンの全体構成
図１および図２は、本発明の制御装置が適用された圧縮着火式エンジン（以下、単にエンジンともいう）の好ましい実施形態を示す図である。本図に示されるエンジンは、走行用の動力源として車両に搭載された４サイクルのガソリン直噴エンジンであり、エンジン本体１と、エンジン本体１に導入される吸気が流通する吸気通路３０と、エンジン本体１から排出される排気ガスが流通する排気通路４０と、排気通路４０を流通する排気ガスの一部を吸気通路３０に還流する外部ＥＧＲ装置５０を備えている。
【００３２】
エンジン本体１は、気筒２が内部に形成されたシリンダブロック３と、気筒２を上から閉塞するようにシリンダブロック３の上面に取り付けられたシリンダヘッド４と、気筒２に往復摺動可能に挿入されたピストン５とを有している。エンジン本体１は、典型的には複数の（例えば４つの）気筒を有する多気筒型のものであるが、ここでは簡略化のため、１つの気筒２のみに着目して説明を進める。
【００３３】
ピストン５の上方には燃焼室６が画成されており、この燃焼室６には、ガソリンを主成分とする燃料が、後述するインジェクタ１５からの噴射によって供給される。そして、供給された燃料が燃焼室６で空気と混合されつつ燃焼し、その燃焼による膨張力を受けてピストン５が上下方向に往復運動する。
【００３４】
ピストン５の下方には、エンジン本体１の出力軸であるクランク軸７が設けられている。クランク軸７は、ピストン５とコネクティングロッド８を介して連結され、ピストン５の往復運動（上下運動）に応じて中心軸回りに回転駆動される。
【００３５】
気筒２の幾何学的圧縮比、つまりピストン５が上死点にあるときの燃焼室６の容積とピストン５が下死点にあるときの燃焼室６の容積との比は、後述するＳＰＣＣＩ燃焼（部分圧縮着火燃焼）に好適な値として、１４以上２０以下、好ましくは１６以上１８以下に設定される。
【００３６】
シリンダブロック３には、クランク軸７の回転角度（クランク角）およびクランク軸７の回転速度（エンジン回転速度）を検出するクランク角センサＳＮ１と、シリンダブロック３およびシリンダヘッド４の内部を流通する冷却水の温度（エンジン水温）を検出する水温センサＳＮ２とが設けられている。
【００３７】
シリンダヘッド４には、吸気通路３０から供給される空気を燃焼室６に導入するための吸気ポート９と、燃焼室６で生成された排気ガスを排気通路４０に導出するための排気ポート１０と、吸気ポート９の燃焼室６側の開口を開閉する吸気弁１１と、排気ポート１０の燃焼室６側の開口を開閉する排気弁１２とが設けられている。なお、当実施形態のエンジンのバルブ形式は、図２に示すように、吸気２バルブ×排気２バルブの４バルブ形式である。すなわち、当実施形態では、１つの気筒２の燃焼室６に対し吸気ポート９および排気ポート１０が２つずつ開口している。また、これに対応して、吸気弁１１および排気弁１２が１つの気筒２につき２つずつ設けられている。
【００３８】
吸気弁１１および排気弁１２は、シリンダヘッド４に配設された一対のカム軸等を含む動弁機構により、クランク軸７の回転に連動して開閉駆動される。
【００３９】
吸気弁１１用の動弁機構には、吸気弁１１の開閉時期を変更可能な吸気ＶＶＴ１３が内蔵されている。同様に、排気弁１２用の動弁機構には、排気弁１２の開閉時期を変更可能な排気ＶＶＴ１４が内蔵されている。吸気ＶＶＴ１３（排気ＶＶＴ１４）は、いわゆる位相式の可変機構であり、吸気弁１１（排気弁１２）の開弁時期および閉弁時期を同時にかつ同量だけ変更する。
【００４０】
図３は、吸気弁１１および排気弁１２のリフトカーブを示す図である（ＩＮは吸気弁１１のリフトカーブを、ＥＸは排気弁１２のリフトカーブをそれぞれ示している）。本図に示すように、吸気弁１１および排気弁１２は、排気上死点（図３中のＴＤＣ）を跨いで開弁期間が重複するように駆動されることがある。この重複期間、つまり吸気弁１１および排気弁１２の双方が開弁する期間は、バルブオーバーラップ期間と呼ばれる。バルブオーバーラップ期間は、上述した吸気ＶＶＴ１３および排気ＶＶＴ１４の制御により調整することが可能である。
【００４１】
図３では、バルブオーバーラップ期間が比較的長く設定された場合のリフトカーブを実線の波形で示し、バルブオーバーラップ期間が比較的短く設定された場合のリフトカーブを破線の波形で示している。例えば、後述する過給機３３により加圧された吸気の圧力（過給圧）が高くなる高負荷域において、実線の波形のようにバルブオーバーラップ期間が拡大された場合には、当該オーバーラップ期間の間、吸気ポート９から排気ポート１０へと吹き抜ける吸気の流れが形成される結果、燃焼室６内に残留する既燃ガスの排気ポート１０への排出が促進され、いわゆる掃気性能が向上する。一方、吸気の圧力が低い低負荷域においてバルブオーバーラップ期間が拡大された場合には、吸気行程の前期に未だ開放状態にある排気ポート１０から燃焼室６へと既燃ガス（排気ガス）が引き戻される結果、燃焼室６に残留する排気ガスの割合である内部ＥＧＲ率が高くなる。このように、吸気ＶＶＴ１３および排気ＶＶＴ１４を備えた当実施形態のエンジンでは、エンジンの高負荷域または低負荷域でのバルブオーバーラップ期間の拡大または縮小により、掃気性能や内部ＥＧＲ率を調整できるようになっている。
【００４２】
図１および図２に示すように、シリンダヘッド４には、燃焼室６に燃料（ガソリン）を噴射するインジェクタ１５と、インジェクタ１５から燃焼室６に噴射された燃料と吸入空気とが混合された混合気に点火する点火プラグ１６とが設けられている。
【００４３】
図２に示すように、ピストン５の冠面には、その中央部を含む比較的広い領域をシリンダヘッド４とは反対側（下方）に凹陥させたキャビティ２０が形成されている。また、ピストン５の冠面におけるキャビティ２０よりも径方向外側には、円環状の平坦面からなるスキッシュ部２１が形成されている。
【００４４】
インジェクタ１５は、その先端部に複数の噴孔を有した多噴孔型のインジェクタであり、当該複数の噴孔から放射状に燃料を噴射することが可能である（図２中のＦは各噴孔から噴射された燃料の噴霧を表している）。インジェクタ１５は、その先端部がピストン５の冠面の中心部（キャビティ２０の底部中央）と対向するように、燃焼室６の天井面の中心部に配置されている。
【００４５】
点火プラグ１６は、インジェクタ１５に対し吸気側に幾分ずれた位置に配置されている。点火プラグ１６の先端部（電極部）の位置は、キャビティ２０と平面視で重複するように設定されている。
【００４６】
図１に示すように、吸気通路３０は、吸気ポート９と連通するようにシリンダヘッド４の一側面に接続されている。吸気通路３０の上流端から取り込まれた空気（新気）は、吸気通路３０および吸気ポート９を通じて燃焼室６に導入される。
【００４７】
吸気通路３０には、その上流側から順に、吸気中の異物を除去するエアクリーナ３１と、吸気の流量を調整する開閉可能なスロットル弁３２と、吸気を圧縮しつつ送り出す過給機３３と、過給機３３により圧縮された吸気を冷却するインタークーラ３５と、サージタンク３６とが設けられている。
【００４８】
吸気通路３０の各部には、吸気の流量を検出するエアフローセンサＳＮ３と、吸気の温度を検出する吸気温センサＳＮ４と、吸気の圧力を検出する吸気圧センサＳＮ５とが設けられている。エアフローセンサＳＮ３および吸気温センサＳＮ４は、吸気通路３０におけるエアクリーナ３１とスロットル弁３２との間の部位に設けられ、当該部位を通過する吸気の流量および温度を検出する。吸気圧センサＳＮ５は、サージタンク３６に設けられ、当該サージタンク３６内の吸気の圧力を検出する。
【００４９】
過給機３３は、エンジン本体１と機械的に連係された機械式の過給機（スーパーチャージャ）である。過給機３３の具体的な形式は特に問わないが、例えばリショルム式、ルーツ式、または遠心式といった公知の過給機のいずれかを過給機３３として用いることができる。
【００５０】
過給機３３とエンジン本体１との間には、締結／解放を電気的に切り替えることが可能な電磁クラッチ３４が介設されている。電磁クラッチ３４が締結されると、エンジン本体１から過給機３３に駆動力が伝達されて、過給機３３による過給が行われる。一方、電磁クラッチ３４が解放されると、上記駆動力の伝達が遮断されて、過給機３３による過給が停止される。
【００５１】
吸気通路３０には、過給機３３をバイパスするためのバイパス通路３８が設けられている。バイパス通路３８は、サージタンク３６と後述するＥＧＲ通路５１とを互いに接続している。バイパス通路３８には開閉可能なバイパス弁３９が設けられている。
【００５２】
排気通路４０は、排気ポート１０と連通するようにシリンダヘッド４の他側面（吸気通路３０とは反対側の面）に接続されている。燃焼室６で生成された既燃ガスは、排気ポート１０および排気通路４０を通じて外部に排出される。
【００５３】
排気通路４０には触媒コンバータ４１が設けられている。触媒コンバータ４１には、排気通路４０を流通する排気ガス中に含まれる有害成分（ＨＣ、ＣＯ、ＮＯｘ）を浄化するための三元触媒４１ａと、排気ガス中に含まれる粒子状物質（ＰＭ）を捕集するためのＧＰＦ（ガソリン・パティキュレート・フィルタ）４１ｂとが内蔵されている。
【００５４】
排気通路４０における触媒コンバータ４１よりも上流側には、排気ガス中の酸素濃度を検出するＡ／ＦセンサＳＮ６が設けられている。
【００５５】
外部ＥＧＲ装置５０は、排気通路４０と吸気通路３０とを接続するＥＧＲ通路５１と、ＥＧＲ通路５１に設けられたＥＧＲクーラ５２およびＥＧＲ弁５３とを有している。ＥＧＲ通路５１は、排気通路４０における触媒コンバータ４１よりも下流側の部位と、吸気通路３０におけるスロットル弁３２と過給機３３との間の部位とを互いに接続している。ＥＧＲクーラ５２は、ＥＧＲ通路５１を通じて排気通路４０から吸気通路３０に還流される排気ガス（外部ＥＧＲガス）を熱交換により冷却する。ＥＧＲ弁５３は、ＥＧＲクーラ５２よりも下流側（吸気通路３０に近い側）のＥＧＲ通路５１に開閉可能に設けられ、ＥＧＲ通路５１を流通する排気ガスの流量を調整する。
【００５６】
（２）制御系統
図４は、エンジンの制御系統を示すブロック図である。本図に示されるＰＣＭ１００は、エンジン等を統括的に制御するためのマイクロプロセッサであり、周知のＣＰＵ、ＲＯＭ、ＲＡＭ等から構成されている。
【００５７】
ＰＣＭ１００には各種センサによる検出信号が入力される。例えば、ＰＣＭ１００は、上述したクランク角センサＳＮ１、水温センサＳＮ２、エアフローセンサＳＮ３、吸気温センサＳＮ４、吸気圧センサＳＮ５、Ａ／ＦセンサＳＮ６と電気的に接続されており、これらのセンサによって検出された情報（つまりクランク角、エンジン回転速度、エンジン水温、吸気流量、吸気温、吸気圧、排気酸素濃度）がＰＣＭ１００に逐次入力されるようになっている。
【００５８】
また、車両には、当該車両を運転するドライバーにより操作されるアクセルペダルの開度（以下、アクセル開度という）を検出するアクセルセンサＳＮ７と、車両の走行速度（以下、車速という）を検出する車速センサＳＮ８とが設けられており、これらのセンサＳＮ７，ＳＮ８による検出信号もＰＣＭ１００に逐次入力される。
【００５９】
ＰＣＭ１００は、上記各センサからの入力情報に基づいて種々の判定や演算等を実行しつつエンジンの各部を制御する。すなわち、ＰＣＭ１００は、吸・排気ＶＶＴ１３，１４、インジェクタ１５、点火プラグ１６、スロットル弁３２、電磁クラッチ３４、バイパス弁３９、およびＥＧＲ弁５３等と電気的に接続されており、上記演算等の結果に基づいてこれらの機器にそれぞれ制御用の信号を出力する。
【００６０】
具体的に、ＰＣＭ１００は、判定部１０１、燃焼制御部１０２、および記憶部１０３を機能的に有している。
【００６１】
燃焼制御部１０２は、燃焼室６での混合気の燃焼を制御する制御モジュールであり、エンジンの出力トルク等がドライバーの要求に応じた適切な値となるようにエンジンの各部を制御する。判定部１０１は、燃焼制御部１０２による制御の内容を決定するのに必要な種々の判定を行うための制御モジュールである。記憶部１０３は、判定部１０１および燃焼制御部１０２での処理に必要な各種データを記憶するものである。
【００６２】
（３）運転状態に応じた制御
図５は、エンジンの回転速度／負荷に応じた制御の相違を説明するための運転マップである。本図に示すように、エンジンの運転領域は、燃焼形態の相違によって４つの運転領域Ａ１〜Ａ４に大別される。それぞれ第１運転領域Ａ１、第２運転領域Ａ２、第３運転領域Ａ３、第４運転領域Ａ４とすると、第３運転領域Ａ３は、エンジン回転速度が第１速度Ｎ１未満となる極低速域であり、第４運転領域Ａ４は、エンジン回転速度が第２速度Ｎ２以上となる高速域であり、第１運転領域Ａ１は、第３・第４運転領域Ａ３，Ａ４以外の速度域（低・中速領域）のうち負荷が基準負荷Ｌ１以上となる低中速・高負荷の領域であり、第２運転領域Ａ２は、第１、第３、第４運転領域Ａ１，Ａ３，Ａ４以外の残余の領域（低中速・低負荷の領域）である。第１運転領域Ａ１と第２運転領域Ａ２との境界に位置する基準負荷Ｌ１は、過給機３３が駆動される下限の負荷（過給ライン）に相当している。
【００６３】
以下、上記第１〜第４運転領域Ａ１〜Ａ４における燃焼制御の概要について説明する。
【００６４】
（３−１）第１運転領域
低中速かつ高負荷の第１運転領域Ａ１では、ＳＩ燃焼とＣＩ燃焼とを組み合わせた部分圧縮着火燃焼（以下、これをＳＰＣＣＩ燃焼という）が実行される。ＳＩ燃焼とは、点火プラグ１６から発生する火花により混合気に点火し、その点火点から周囲へと燃焼領域を拡げていく火炎伝播により混合気を強制的に燃焼させる燃焼形態のことであり、ＣＩ燃焼とは、ピストン５の圧縮等により十分に高温・高圧化された環境下で混合気を自着火により燃焼させる燃焼形態のことである。そして、これらＳＩ燃焼とＣＩ燃焼とを組み合わせたＳＰＣＣＩ燃焼とは、混合気が自着火する寸前の環境下で行われる火花点火により燃焼室６内の混合気の一部をＳＩ燃焼させ、当該ＳＩ燃焼の後に（ＳＩ燃焼に伴うさらなる高温・高圧化により）燃焼室６内の他の混合気を自着火によりＣＩ燃焼させる、という燃焼形態のことである。なお、「ＳＰＣＣＩ」は「Spark Controlled Compression Ignition」の略である。
【００６５】
図６は、上記のようなＳＰＣＣＩ燃焼が行われた場合の燃焼波形、つまりクランク角による熱発生率（Ｊ／ｄｅｇ）の変化を示したグラフである。本図に示すように、ＳＰＣＣＩ燃焼では、ＳＩ燃焼による熱発生とＣＩ燃焼による熱発生とがこの順に連続して発生する。このとき、ＣＩ燃焼の方が燃焼速度が速いという性質上、ＳＩ燃焼時よりもＣＩ燃焼時の方が熱発生の立ち上がりが急峻になる。このため、ＳＰＣＣＩ燃焼における熱発生率の波形は、ＳＩ燃焼からＣＩ燃焼に切り替わるタイミング（後述するθｃｉ）で現れる変曲点Ｘを有している。
【００６６】
上記のようなＳＰＣＣＩ燃焼の具体的形態として、第１運転領域Ａ１では、過給機３３による過給を行いつつ混合気をＳＰＣＣＩ燃焼させる制御が実行される。このような過給を伴ったＳＰＣＣＩ燃焼を実現するため、第１運転領域Ａ１では、ＰＣＭ１００によってエンジンの各部が次のように制御される。
【００６７】
スロットル弁３２の開度は、理論空燃比相当の空気量が吸気通路３０を通じて燃焼室６に導入されるような値に調整される。すなわち、第１運転領域Ａ１では、吸気通路３０を通じて燃焼室６に導入される空気（新気）と、インジェクタ１５から燃焼室６に噴射される燃料との重量比である空燃比（Ａ／Ｆ）の目標値が、理論空燃比（１４．７）の近傍、詳しくは理論空燃比もしくはこれよりもややリッチな値（例えば約１２〜１４）に設定される。そして、この空燃比の目標値（目標空燃比）と、Ａ／ＦセンサＳＮ６により検出される排気ガス中の酸素濃度等に基づいて、燃焼室６内の空燃比を上記目標空燃比に一致させ得るスロットル弁３２の開度が決定され、この決定に従ってスロットル弁３２が制御される。
【００６８】
過給機３３はＯＮ状態とされる。すなわち、第１運転領域Ａ１は、過給領域の下限である基準負荷Ｌ１以上の領域に属しており、過給機３３による過給が必要である。そこで、第１運転領域Ａ１では、電磁クラッチ３４が締結されて過給機３３とエンジン本体１とが連結されることにより、過給機３３による過給が行われる。このとき、吸気圧センサＳＮ５により検出されるサージタンク３６内の圧力（過給圧）が、エンジン負荷／回転速度の条件ごとに予め定められた目標圧力に一致するように、バイパス弁３９の開度が制御される。
【００６９】
ここで、ＳＩ燃焼とＣＩ燃焼とを組み合わせたＳＰＣＣＩ燃焼では、ＳＩ燃焼とＣＩ燃焼との比率を運転条件に応じてコントロールすることが重要である。そこで、当実施形態では、ＳＰＣＣＩ燃焼（ＳＩ燃焼およびＣＩ燃焼）による全熱発生量に対するＳＩ燃焼による熱発生量の割合であるＳＩ率に着目し、このＳＩ率が適正な値になるようにエンジンの各部を制御する。
【００７０】
上記ＳＩ率を図６を用いて説明する。図６において、燃焼形態がＳＩ燃焼からＣＩ燃焼に切り替わる変曲点Ｘに対応するクランク角θｃｉをＣＩ燃焼の開始時期とする。この場合、ＳＩ燃焼による熱発生量は、当該θｃｉ（ＣＩ燃焼の開始時期）よりも進角側の熱発生率の波形の面積Ｒ１に相当し、ＣＩ燃焼による熱発生量は、当該θｃｉよりも遅角側に位置する熱発生率の波形の面積Ｒ２に相当するとみなすことができる。そして、上記ＳＩ率は、これら各面積Ｒ１，Ｒ２を用いて、Ｒ１／（Ｒ１＋Ｒ２）と定義することができる。
【００７１】
ＳＰＣＣＩ燃焼が行われる第１運転領域Ａ１では、上述したＳＩ率およびθｃｉが予め定められた目標値に一致するように、エンジンの各部が制御される。すなわち、第１運転領域Ａ１では、エンジン負荷／回転速度が異なる種々の条件ごとに、ＳＩ率の目標値である目標ＳＩ率とθｃｉの目標値である目標θｃｉとがそれぞれ定められている。そして、インジェクタ１５からの燃料の噴射量／噴射時期、点火プラグ１６による火花点火の時期（点火時期）、およびＥＧＲ率（外部ＥＧＲ率および内部ＥＧＲ率）といった複数の制御量が、上記目標ＳＩ率および目標θｃｉを実現可能な組合せとなるように制御される。なお、外部ＥＧＲ率とは、燃焼室６内の全ガスのうち外部ＥＧＲガス（ＥＧＲ通路５１を通じて燃焼室６に還流される排気ガス）が占める重量割合のことであり、内部ＥＧＲ率とは、燃焼室６内の全ガスのうち内部ＥＧＲガス（内部ＥＧＲにより燃焼室６に残留する既燃ガス）が占める重量割合のことである。
【００７２】
例えば、燃料の噴射量／噴射時期は、上記目標ＳＩ率および目標θｃｉを考慮して予め定められたマップにより決定される。また、外部ＥＧＲ率および内部ＥＧＲ率については、両ＥＧＲ率の主な影響因子である吸・排気弁１１，１２の開閉タイミングと、ＥＧＲ弁５３の開度とが、やはり上記目標ＳＩ率および目標θｃｉを考慮して定められたマップにより決定される。
【００７３】
一方、点火プラグ１６による火花点火の時期（点火時期）は、所定のモデル式を用いた演算により、上記目標ＳＩ率および目標θｃｉが得られるような時期に決定される。
【００７４】
以上のように、第１運転領域Ａ１では、予め定められたマップとモデル式を用いた演算とを組み合わせた方法により、点火時期、燃料の噴射量／噴射時期、吸・排気弁１１，１２の開閉タイミング、およびＥＧＲ弁５３の開度が、運転条件ごとに予め定められた適正なＳＩ率およびθｃｉ（目標ＳＩ率および目標θｃｉ）が得られる組合せとなるように制御される。
【００７５】
（３−２）第２運転領域
低中速かつ低負荷の第２運転領域Ａ２では、過給機３３による過給が停止された状態（自然吸気の状態）で混合気をＳＰＣＣＩ燃焼させる制御が実行される。このような自然吸気下でのＳＰＣＣＩ燃焼を実現するため、第１運転領域Ａ１では、ＰＣＭ１００によってエンジンの各部が次のように制御される。
【００７６】
スロットル弁３２の開度は、第２運転領域Ａ２内に設定された略矩形状の境界Ｑの内側か外側かによって空燃比が可変となるように制御される。すなわち、第２運転領域Ａ２における境界Ｑの外側領域では、燃焼室６内の混合気の空燃比（Ａ／Ｆ）が理論空燃比（１４．７）に略一致するように、スロットル弁３２の開度が調整される。これに対し、第２運転領域Ａ２における境界Ｑの内側領域では、空燃比が理論空燃比よりも大きい値、例えば２０〜３５程度になるように、スロットル弁３２の開度が調整される。言い換えると、境界Ｑの内側領域では、理論空燃比よりも大きい空燃比を有するＡ／Ｆリーンの混合気を燃焼室６内に形成しつつ当該混合気をＳＰＣＣＩ燃焼させる制御が実行され、境界Ｑの外側領域では、理論空燃比に近いストイキ混合気を燃焼室６内に形成しつつ当該混合気をＳＰＣＣＩ燃焼させる制御が実行される。境界Ｑは、Ａ／ＦリーンのＳＰＣＣＩ燃焼の実行領域を第２運転領域Ａ２における低速側の一部分に限定するべく、第２運転領域Ａ２の上限速度（第２速度Ｎ２）、上限負荷（基準負荷Ｌ１）、および下限負荷（エンジンの最低負荷）のいずれからも離れるように設定されている。
【００７７】
過給機３３はＯＦＦ状態とされる。すなわち、電磁クラッチ３４が解放されて過給機３３とエンジン本体１との連結が解除されるとともに、バイパス弁３９が全開とされることにより、過給機３３による過給が停止される。
【００７８】
第２運転領域Ａ２においても、上述した第１運転領域Ａ１のときと同様に、目標ＳＩ率および目標θｃｉが負荷／回転速度の条件ごとに定められている。燃料の噴射量／噴射時期、吸・排気弁１１，１２の開閉タイミング、およびＥＧＲ弁５３の開度は、予め定められたマップを用いて、上記目標ＳＩ率および目標θｃｉを実現するのに適した値となるように決定される。また、点火プラグ１６による点火時期については、上記目標ＳＩ率および目標θｃｉを実現可能な点火時期が所定のモデル式を用いた演算により決定される。
【００７９】
（３−３）第３運転領域および第４運転領域
エンジン回転速度が第１速度Ｎ１よりも低い第３運転領域Ａ１（極低速域）、およびエンジン回転速度が第２速度Ｎ２以上の第４運転領域Ａ４（高速域）では、混合気をＳＩ燃焼により燃焼させる制御が実行される。例えば、１サイクル中に噴射すべき燃料の全量がインジェクタ１５から吸気行程中に噴射されるとともに、圧縮上死点の近傍で点火プラグ１６による火花点火が実行される。そして、この火花点火をきっかけにＳＩ燃焼が開始され、燃焼室６内の混合気の全てが火炎伝播により燃焼する。
【００８０】
（４）第１運転領域での噴射制御
次に、第１運転領域Ａ１でのより具体的な制御例、特に運転ポイントに応じた燃料噴射パターンの相違について説明する。ＳＰＣＣＩ燃焼の実行領域のうち比較的負荷が高い第１運転領域Ａ１における燃料の噴射パターンは、大きく分けて、図７に示す２つの分割領域Ｄ１，Ｄ２のいずれでエンジンが運転されているかによって異なる。また、分割領域Ｄ１の中でも、低速側の分割領域Ｄ１１と高速側の分割領域Ｄ１２とでは、回転速度に応じた燃料噴射時期の変化の傾向が異なる。さらに、分割領域Ｄ１２の中でも、低速側の分割領域Ｄ１２ａと高速側の分割領域Ｄ１２ｂとでは、回転速度に応じた燃料噴射時期の変化の傾向が異なる。以下では、第１運転領域Ａ１における分割領域Ｄ１を高負荷域、分割領域Ｄ２を中負荷域と称し、高負荷域Ｄ１における低速側の分割領域Ｄ１１を低速・高負荷域、高速側の分割領域Ｄ１２を中速・高負荷域と称し、中速・高負荷域Ｄ１２における低速側の分割領域Ｄ１２ａを第１中速・高負荷域、高速側の分割領域Ｄ１２ｂを第２中速・高負荷域と称する。図７の例では、中負荷域Ｄ２は、第１運転領域Ａ１の下限負荷である基準負荷Ｌ１（過給ライン）からこれより高い負荷Ｌ２までの負荷域を占め、高負荷域Ｄ１（低速・高負荷域Ｄ１１および中速・高負荷域Ｄ１２）は、第１運転領域Ａ１のうち負荷Ｌ２から最大負荷Ｌ３までの負荷域を占めている。また、低速・高負荷域Ｄ１１と中速・高負荷域Ｄ１２とは、第１境界速度Ｎｘを境に隣接しており、第１中速・高負荷域Ｄ１２ａと第２中速・高負荷域Ｄ１２ｂとは、第２境界速度Ｎｙを境に隣接している。
【００８１】
図８は、第１運転領域Ａ１での運転時に行われる具体的な制御手順を示すフローチャートである。なお、このフローチャートが適用される前提として、エンジンは準温間状態または温間状態にあるものとする。エンジンが準温間／温間状態にあることは、水温センサＳＮ２により検出されるエンジン水温に基づき判定される。例えば、検出されたエンジン水温が７０℃以上である場合に、エンジンが準温間／温間状態にあると判定されて、図８のフローチャートが適用される。
【００８２】
このフローチャートに示す制御がスタートすると、ＰＣＭ１００の判定部１０１は、ステップＳ１において、エンジンの現運転ポイントが図７に示した高負荷域Ｄ１に含まれるか否かを判定する。すなわち、判定部１０１は、クランク角センサＳＮ１により検出されるエンジン回転速度と、アクセルセンサＳＮ７の検出値（アクセル開度）や車速センサＳＮ８の検出値（車速）等から特定されるエンジン負荷とに基づいて、現時点のエンジンの運転ポイントを図７の運転マップ上で特定し、当該マップ中の高負荷域Ｄ１に現運転ポイントが含まれるか否かを判定する。
【００８３】
上記ステップＳ１でＹＥＳと判定されてエンジンの現運転ポイントが高負荷域Ｄ１に含まれることが確認された場合、ＰＣＭ１００の燃焼制御部１０２は、ステップＳ２に移行し、過給機３３を駆動して吸気を過給する。すなわち、燃焼制御部１０２は、電磁クラッチ３４を締結して過給機３３とエンジン本体１とを連結するようにとともに、バイパス弁３９の開度を調整して過給圧を制御する。
【００８４】
次いで、燃焼制御部１０２は、ステップＳ３に移行し、インジェクタ１５による燃料の噴射パターンとして、図９に示す第１噴射パターンを選択する。図９（ａ）〜（ｅ）は、高負荷域Ｄ１での噴射パターンを代表して、回転速度の異なる複数の運転ポイントＰ１〜Ｐ５（図７）における各噴射パターンを示している。本図に示すように、第１噴射パターンが選択されると、吸気行程中に１回の燃料噴射Ｆａが実行されるとともに、圧縮行程中に１回の燃料噴射Ｆｂが実行される。以下では、Ｆａを前段噴射、Ｆｂを後段噴射と称する。
【００８５】
より具体的に、第１噴射パターンでは、前段噴射Ｆａの開始時期は吸気行程の中期から後期までの範囲内に設定され、後段噴射Ｆｂの開始時期は圧縮行程の前期から後期までの範囲内（圧縮行程の前半または後半）に設定される。詳細は後述するが、前段噴射Ｆａおよび後段噴射Ｆｂの各開始時期は、主にエンジン回転速度に応じて変更される（図９（ａ）〜（ｅ））。言い換えると、第１噴射パターンが選択されたとき、燃焼制御部１０２は、吸気行程の中期または後期に前段噴射Ｆａが、圧縮行程の前半または後半に後段噴射Ｆｂがそれぞれ開始され、かつ各噴射Ｆａ，Ｆｂの開始時期がエンジン回転速度に応じて変化するように、インジェクタ１５を制御する。
【００８６】
なお、本明細書において、ある行程の前期、中期、後期（または前半、後半）とは次のことを意味するものとする。すなわち、本明細書では、吸気行程や圧縮行程等の任意の行程を２等分した場合の各期間を前から順に「前半」「後半」と定義する。このため、例えば圧縮行程の（ｉ）前半、（ii）後半とは、それぞれ、（ｉ）圧縮上死点前（ＢＴＤＣ）１８０〜９０°ＣＡ、（ii）ＢＴＤＣ９０〜０°ＣＡの各範囲のことを指す。同様に、本明細書では、任意の行程を３等分した場合の各期間を前から順に「前期」「中期」「後期」と定義する。このため、例えば吸気行程の（iii）前期、（iv）中期、（ｖ）後期とは、それぞれ、（iii）ＢＴＤＣ３６０〜３００°ＣＡ、（iv）ＢＴＤＣ３００〜２４０°ＣＡ、（ｖ）ＢＴＤＣ２４０〜１８０°ＣＡの各範囲のことを指す。
【００８７】
次いで、燃焼制御部１０２は、ステップＳ４に移行して、上記第１噴射パターンにおける各燃料噴射（前段噴射Ｆａおよび後段噴射Ｆｂ）の噴射量および噴射時期を、エンジン負荷（要求トルク）および回転速度に基づき決定する。この噴射量／噴射時期の決定にはマップＭ１が参照される。マップＭ１は、第１噴射パターンにおける各噴射Ｆａ，Ｆｂの噴射量／噴射時期をエンジン負荷／回転速度の条件ごとに定めたものであり、記憶部１０３に予め格納されている。このマップＭ１による噴射量／噴射時期は、上記（３−１）で説明した目標ＳＩ率および目標θｃｉを考慮して定められている。言い換えると、上記ステップＳ４では、第１噴射パターンにおける各噴射Ｆａ，Ｆｂの噴射量および噴射時期が、上記目標ＳＩ率および目標θｃｉを実現するのに適した値となるように決定される。なお、このようにして決定される前段噴射Ｆａおよび後段噴射Ｆｂの噴射量／噴射時期の各詳細は、後述する（５）のとおりである。
【００８８】
次に、上記ステップＳ１でＮＯと判定された場合、つまりエンジンの現運転ポイントが高負荷域Ｄ１に含まれないことが確認された場合の制御について説明する。この場合、判定部１０１は、ステップＳ５に移行して、エンジンの現運転ポイントが中負荷域Ｄ２に含まれるか否かを判定する。
【００８９】
上記ステップＳ４でＮＯと判定されてエンジンの現運転ポイントが中負荷域Ｄ２に含まれないことが確認された場合、つまりエンジンが高負荷域Ｄ１および中負荷域Ｄ２を除く運転領域（第２、第３、第４運転領域Ａ２，Ａ３，Ａ４のいずれか）で運転されていることが確認された場合、燃焼制御部１０２は、ステップＳ９に移行して、Ａ２，Ａ３，Ａ４のいずれの運転領域に運転ポイントが含まれるかを確認し、その結果に応じた燃焼制御を実行する。例えば、運転ポイントが第２運転領域Ａ２に含まれることが確認された場合、燃焼制御部１０２は、第１運転領域Ａ１での運転時と同様、混合気をＳＰＣＣＩ燃焼により燃焼させる制御を実行する。ただし、第２運転領域Ａ２では、第１運転領域Ａ１のときと異なり、過給機３３が停止される（電磁クラッチ３４の締結が解除される）。また、運転ポイントが第３運転領域Ａ３または第４運転領域Ａ４に含まれることが確認された場合、燃焼制御部１０２は、ＳＰＣＣＩ燃焼ではなくＳＩ燃焼によって混合気を燃焼させる制御を実行する。
【００９０】
一方、上記ステップＳ５でＹＥＳと判定されてエンジンの現運転ポイントが中負荷域Ｄ２に含まれることが確認された場合、燃焼制御部１０２は、ステップＳ６に移行し、過給機３３を駆動して吸気を過給する。
【００９１】
次いで、燃焼制御部１０２は、ステップＳ７に移行し、インジェクタ１５による燃料の噴射パターンとして、図１０に示す第２噴射パターンを選択する。図１０は、中負荷域Ｄ２における代表的な運転ポイントＰ６（図７）での噴射パターンを示している。本図に示すように、第２噴射パターンが選択されると、吸気行程中に１回の燃料噴射Ｆｃが実行される。この燃料噴射Ｆｃの開始時期は、例えば吸気行程の前期に設定される。なお、上述した第１噴射パターン（図９）のときと異なり、圧縮行程中の燃料噴射（後段噴射Ｆｂに相当する噴射）は実行されない。
【００９２】
次いで、燃焼制御部１０２は、ステップＳ８に移行して、上記第２噴射パターンにおける燃料噴射Ｆｃの噴射量および噴射時期を、エンジンの負荷および回転速度に基づき決定する。この噴射量／噴射時期の決定にはマップＭ２が参照される。マップＭ２は、第２噴射パターンにおける燃料噴射Ｆｃの噴射量／噴射時期をエンジン負荷／回転速度の条件ごとに定めたものであり、記憶部１０３に予め格納されている。このマップＭ２による噴射量／噴射時期は、上述した目標ＳＩ率および目標θｃｉを考慮して定められている。言い換えると、上記ステップＳ８では、第２噴射パターンにおける燃料噴射Ｆｃの噴射量および噴射時期が、上記目標ＳＩ率および目標θｃｉを実現するのに適した値となるように決定される。
【００９３】
以上のようにして燃料の噴射パターン（噴射量／噴射時期）および噴射圧力の設定が終了すると、燃焼制御部１０２は、ステップＳ１０に移行して、エンジンの負荷および回転速度に基づき吸・排気弁１１，１２の開閉タイミング（バルブタイミング）を決定し、決定したバルブタイミングを目標に吸・排気ＶＶＴ１３，１４を制御する。このバルブタイミングの決定にはマップＭ３が参照される。マップＭ３は、バルブタイミングをエンジン負荷／回転速度の条件ごとに定めたものであり、記憶部１０３に予め格納されている。このマップＭ３が用いられることにより、バルブタイミングおよびオーバーラップ期間（図３）は、上記目標ＳＩ率および目標θｃｉを実現するのに適した値に設定される。
【００９４】
次いで、燃焼制御部１０２は、ステップＳ１１に移行して、エンジンの負荷および回転速度に基づきＥＧＲ弁５３の開度（ＥＧＲ開度）を決定し、決定したＥＧＲ開度を目標にＥＧＲ弁５３を制御する。このＥＧＲ開度の決定にはマップＭ４が参照される。マップＭ４は、ＥＧＲ開度をエンジン負荷／回転速度の条件ごとに定めたものであり、記憶部１０３に予め格納されている。このマップＭ４が用いられることにより、ＥＧＲ開度は、上記目標ＳＩ率および目標θｃｉを実現するのに適した値に設定される。
【００９５】
上記ステップＳ１１においてマップＭ４を通じて決定されるＥＧＲ開度は、総じて、第１運転領域Ａ１内の高負荷側ほど低くされる。図１１は、このようなＥＧＲ弁５３の開度制御によって実現される外部ＥＧＲ率（ＥＧＲ通路５１を通じて燃焼室６に還流される排気ガスの割合）のエンジン負荷に応じた変化を示すグラフである。本図に示すように、第１運転領域Ａ１では、負荷が高くなるほど外部ＥＧＲ率が減少するようにＥＧＲ弁５３の開度が制御される。言い換えると、第１運転領域Ａ１での運転時、ＥＧＲ弁５３の開度は、中負荷域Ｄ２（負荷Ｌ１〜Ｌ２）での外部ＥＧＲ率よりも高負荷域Ｄ１（負荷Ｌ２〜Ｌ３）での外部ＥＧＲ率が低くなるように制御される。
【００９６】
次いで、燃焼制御部１０２は、ステップＳ１２に移行して、燃焼室６内の実際のＥＧＲ率（外部ＥＧＲ率および内部ＥＧＲ率）と、圧縮上死点の近傍での燃焼室６内の温度（筒内温度）とを推定する。上述したように、当実施形態では、吸・排気弁１１，１２の開閉タイミング（バルブタイミング）およびＥＧＲ弁５３の開度（ＥＧＲ開度）がマップにより定められるが、マップの設定値通りにバルブタイミングおよびＥＧＲ開度を制御しても、応答遅れなどの種々の要因によってＥＧＲ率は変動し得る。また、ＥＧＲ率の変動は、外気温等の他の要因と併せて、圧縮上死点近傍での筒内温度の変動につながる。そこで、燃焼制御部１０２は、エアフローセンサＳＮ３、吸気温センサＳＮ４、および吸気圧センサＳＮ５等の各種センサによる検出値（吸気流量、吸気温、吸気圧等）と、バルブタイミングおよびＥＧＲ開度の各設定値と、予め定められた所定のモデル式とに基づいて、吸気弁１１の閉時期（ＩＶＣ時点）における燃焼室６内の実際のＥＧＲ率（外部ＥＧＲ率および内部ＥＧＲ率）と、当該ＩＶＣの直後に到来する圧縮上死点の近傍（圧縮上死点もしくはその近傍）における筒内温度とを推定する。上記モデル式は、例えば、吸気流量、吸気温、吸気圧、バルブタイミング、ＥＧＲ開度等の各パラメータの直近の履歴を入力要素とするモデル式であり、応答遅れを反映したＩＶＣ時点での実際の外部ＥＧＲ率および内部ＥＧＲ率と、圧縮上死点近傍における筒内温度とをそれぞれ推定できるように設定されている。
【００９７】
次いで、燃焼制御部１０２は、ステップＳ１３に移行して、上記ステップＳ１２で推定されたＥＧＲ率および筒内温度に基づいて、点火プラグ１６による火花点火の時期（点火時期）を決定する。具体的に、燃焼制御部１０２は、予め定められたモデル式を用いて、点火プラグ１６による点火時期を、上述した目標ＳＩ率および目標θｃｉが実現されるような時期に決定する。モデル式は、推定されたＥＧＲ率（外部ＥＧＲ率および内部ＥＧＲ率）と筒内温度とを含む複数のパラメータを入力要素とするモデル式であり、混合気をＳＰＣＣＩ燃焼させた場合のＳＩ率およびθｃｉが上記目標ＳＩ率および目標θｃｉにできるだけ一致する点火時期を求め得るように設定されている。このモデル式によれば、点火時期は、圧縮上死点の近傍の所定のクランク角範囲内において、推定されたＥＧＲ率および筒内温度の組合せにより定まる条件が混合気が着火し易い条件であるほど遅角側の時期に算出され、逆に、混合気が着火し難い条件であるほど進角側の時期に算出される。
【００９８】
次いで、燃焼制御部１０２は、ステップＳ１４に移行して、インジェクタ１５に燃料を噴射させるとともに、点火プラグ１６に火花点火を実行させる。すなわち、燃焼制御部１０２は、上記ステップＳ３，Ｓ７のいずれかで決定された燃料の噴射パターンに従って燃料が噴射され、かつ同噴射パターンに含まれる燃料噴射（Ｆａ，Ｆｂ，Ｆｃ等）の噴射量／噴射時期が上記ステップＳ４，Ｓ８のいずれかで決定された噴射量／噴射時期と一致するように、インジェクタ１５を制御する。また、上記ステップＳ１３で決定された時期に火花点火が実行されるように点火プラグ１６を制御する。
【００９９】
（５）前段噴射および後段噴射の噴射量／噴射時期の設定例
次に、第１運転領域Ａ１の高負荷域Ｄ１において実行される前段噴射Ｆａおよび後段噴射Ｆｂの詳細な設定例について説明する。既に説明したとおり、高負荷域Ｄ１では、図９に示す第１噴射パターンが選択されることにより、吸気行程の中期または後期に前段噴射Ｆａが開始され、かつ圧縮行程の前半または後半に後段噴射Ｆｂが開始される。図９（ａ）〜（ｅ）は、回転速度が異なる各条件での噴射パターンを示しており、それぞれ図７に示す運転ポイントＰ１〜Ｐ５に対応している。
【０１００】
ここで、図９（ａ）〜（ｅ）において燃料噴射Ｆａ，Ｆｂをそれぞれ表すパルス形状は、各パルス形状における最も左側（進角側）の位置が噴射開始時期を表し、各パルス形状の幅寸法（横軸方向の長さ）が噴射量を表すものとする。言い換えると、各パルス形状の幅寸法に対応するクランク角期間は、必ずしも燃料の噴射期間（インジェクタ１５を開弁する期間）と一致するわけではない。すなわち、エンジン回転速度が高くなるほど同一の噴射量を得るための噴射期間は長くなるので、仮にパルス形状が噴射期間を表すものとした場合には、パルス形状の幅寸法が同一であっても噴射量が同一になるとは限らない。これに対し、図９（ａ）〜（ｅ）において燃料噴射Ｆａ，Ｆｂを表すパルス形状は、あくまでその幅寸法によって噴射量を規定しているので、回転速度の高低に拠らず、噴射量はパルス形状の幅寸法に比例するものとして扱うことができる。
【０１０１】
図７に示すように、上記各噴射パターン（図９（ａ）〜（ｅ））に対応する５つの運転ポイントＰ１〜Ｐ５のうち、低速側の３つの運転ポイントＰ１〜Ｐ３は、高負荷域Ｄ１の中でも低速側の領域つまり低速・高負荷域Ｄ１１に属しており、高速側の２つの運転ポイントＰ４，Ｐ５は、高負荷域Ｄ１の中でも高速側の領域つまり中速・高負荷域Ｄ１２に属している。さらに、運転ポイントＰ４は、中速・高負荷域Ｄ１２の中でも低速側の第１中速・高負荷域Ｄ１２ａに属しており、運転ポイントＰ５は、中速・高負荷域Ｄ１２の中でも高速側の第２中速・高負荷域Ｄ１２ｂに属している。運転ポイントＰ１，Ｐ２，Ｐ３，Ｐ４，Ｐ５は、負荷が同一の等負荷ライン上でこの順に回転速度が高くなるように設定されている。
【０１０２】
例えば、低速・高負荷域Ｄ１１（高負荷域Ｄ１）の下限速度である第１速度Ｎ１が１０００ｒｐｍ、低速・高負荷域Ｄ１１と第１中速・高負荷域Ｄ１２ａとの境界速度である第１境界速度Ｎｘが２０００ｒｐｍ、第１中速・高負荷域Ｄ１２ａと第２中速・高負荷域Ｄ１２ｂとの境界速度である第２境界速度Ｎｙが２７５０ｒｐｍ、第２中速・高負荷域Ｄ１２ｂ（高負荷域Ｄ１）の上限速度である第２速度Ｎ２が４０００ｒｐｍである場合、運転ポイントＰ１，Ｐ２，Ｐ３，Ｐ４，Ｐ５の回転速度は、それぞれ１１００ｒｐｍ、１５００ｒｐｍ、１７５０ｒｐｍ、２２５０ｒｐｍ、３０００ｒｐｍとすることができる。
【０１０３】
図９（ａ）〜（ｅ）の噴射パターンを比較したとき、前段噴射Ｆａの開始時期は、最も低速側の運転ポイントＰ１において最も遅くされ、吸気行程の後期に設定される（図９（ａ））。一方、他の運転ポイントＰ２〜Ｐ５における前段噴射Ｆａの開始時期は大差なく、いずれも吸気行程の中期に設定される（図９（ｂ）〜（ｅ））。
【０１０４】
後段噴射Ｆｂの開始時期は、低速・高負荷域Ｄ１１に属する３つの運転ポイントＰ１〜Ｐ３においていずれも圧縮行程の後半に設定される（図９（ａ）〜（ｃ））。ただし、低速・高負荷域Ｄ１１の中でも高速側になるほど、つまり運転ポイントがＰ１→Ｐ２→Ｐ３へと移行するにつれて、後段噴射Ｆｂの開始時期がより圧縮上死点に近い遅角側の時期へとシフトされる。一方、中速・高負荷域Ｄ１２に属する運転ポイントＰ４，Ｐ５では、一転して後段噴射Ｆｂの開始時期が進角され、圧縮行程の前半に設定される（図９（ｄ）（ｅ））。詳しくは、相対的に低速側の（第１中速・高負荷域Ｄ１２ａに属する）運転ポイントＰ４における後段噴射Ｆｂの開始時期が圧縮行程前半の中でも比較的遅い時期に設定されるのに対し（図９（ｄ））、相対的に高速側の（第２中速・高負荷域Ｄ１２ｂに属する）運転ポイントＰ５における後段噴射Ｆｂの開始時期が圧縮行程前半の中でも比較的早い時期（吸気下死点の近傍）に設定される。
【０１０５】
後段噴射Ｆｂの噴射量割合は、低速・高負荷域Ｄ１１の中でも高速側ほど（Ｐ１→Ｐ２→Ｐ３へと移行するにつれて）小さくなるように設定される。一方、中速・高負荷域Ｄ１２に属する運転ポイントＰ４，Ｐ５における後段噴射Ｆｂの噴射量割合は、低速・高負荷域Ｄ１１の高速側に位置する運転ポイントＰ３に比べれば大きくされる。
【０１０６】
図１２および図１３は、前段噴射Ｆａおよび後段噴射Ｆｂの噴射量／噴射時期の回転速度に応じた設定例をより詳しく説明するための図である。具体的に、図１２は、エンジン回転速度と燃料の噴射開始時期との関係を示すグラフであり、図１３は、エンジン回転速度と燃料の噴射量割合（分割比）との関係を示すグラフである。なお、各グラフに示される噴射開始時期および噴射量割合は、それぞれ、上述した運転ポイントＰ１〜Ｐ５（図７）を結ぶ等負荷ラインに沿って（つまり負荷を固定しつつ）回転速度のみを変化させた場合のものである。このため、各グラフにおいて噴射開始時期／噴射量割合の変化を示す折れ線の波形上には、運転ポイントＰ１〜Ｐ５に対応するプロットが図示されている。
【０１０７】
図１２に示すように、前段噴射Ｆａの開始時期は、低速・高負荷域Ｄ１１の下限速度（第１速度Ｎ１）にごく近い速度範囲において、圧縮行程の後期から中期にかけて可変的に設定され、回転速度が高くなるほど進角側にシフトされる。一方、この第１速度Ｎ１の近傍を除く他の速度範囲、つまり低速・高負荷域Ｄ１１における高速側の大部分と中速・高負荷域Ｄ１２に属する速度範囲とにおいては、前段噴射Ｆａの開始時期がいずれも吸気行程の中期に設定される。具体的に、高負荷域Ｄ１（低速・高負荷域Ｄ１１および中速・高負荷域Ｄ１２）における前段噴射Ｆａの開始時期は、最も低速側の条件（第１速度Ｎ１）でＢＴＤＣ２００°ＣＡ、最も高速側の条件（第２速度Ｎ２）でＢＴＤＣ２５０°ＣＡ、両者の中間の速度範囲（第１境界速度Ｎｘから第２境界速度Ｎｙを含む速度範囲）でＢＴＤＣ２９０°ＣＡとされる。
【０１０８】
後段噴射Ｆｂの開始時期は、低速・高負荷域Ｄ１１に属する速度範囲（第１速度Ｎ１から第１境界速度Ｎｘまで）において、いずれも圧縮行程の後半に設定されるとともに、回転速度が高くなるほど（Ｎｘに近づくほど）遅角側にシフトされる。具体的に、低速・高負荷域Ｄ１１における後段噴射Ｆｂの開始時期は、最も低速側の条件（第１速度Ｎ１）でＢＴＤＣ８０°ＣＡ、最も高速側の条件（第１境界速度Ｎｘ）でＢＴＤＣ２５°ＣＡとされる。
【０１０９】
また、後段噴射Ｆｂの開始時期は、中速・高負荷域Ｄ１２に属する速度範囲（境界速度Ｎｘから第２速度Ｎ２まで）において、圧縮行程の後半から前半にかけた広い範囲に亘って可変的に設定され、回転速度が高くなるほど進角側にシフトされる。詳しくは、相対的に低速側の第１中速・高負荷域Ｄ１２ａにおいて、後段噴射Ｆｂの開始時期は、回転速度の上昇に応じて圧縮行程の後半から前半まで進角される。これに対し、相対的に高速側の第２中速・高負荷域Ｄ１２ｂでは、後段噴射Ｆｂの開始時期が吸気下死点に近い圧縮行程のごく初期に固定的に設定される。より具体的に、第１中速・高負荷域Ｄ１２ａにおける後段噴射Ｆｂの開始時期は、最も低速側の条件（第１境界Ｎ速度Ｎｘ）でＢＴＤＣ２５°ＣＡ、最も高速側の条件（第２境界速度Ｎｙ）でＢＴＤＣ１７０°ＣＡとされる。また、第２中速・高負荷域Ｄ１２ｂ（第２境界速度Ｎｙから第２速度Ｎ２までの速度域）における後段噴射Ｆｂの開始時期は、回転速度に拠らずＢＴＤＣ１７０°ＣＡに設定される。言い換えると、中速・高負荷域Ｄ１２での後段噴射Ｆｂの開始時期は、少なくとも、低速・高負荷域Ｄ１１における最も高速側での後段噴射Ｆｂの開始時期（ＢＴＤＣ２５°ＣＡ）よりは早い時期に設定される。
【０１１０】
なお、図１２では、中速・高負荷域Ｄ１２の上限速度である第２速度Ｎ２において後段噴射Ｆｂを表す波形が途切れているが、これは、第２速度Ｎ２よりも高速側に位置する第４運転領域Ａ４では圧縮行程中に燃料噴射（後段噴射Ｆｂに相当する噴射）が実行されないことを表している。一方、図１２では、前段噴射Ｆａの波形と連続する二点鎖線の波形が第４運転領域Ａ４に対応する速度域に図示されているが、この二点鎖線の波形は、第４運転領域Ａ４において吸気行程中に実行される燃料噴射の開始時期を表している。
【０１１１】
図１３に示すように、後段噴射Ｆｂの噴射量割合は、低速・高負荷域Ｄ１１に属する速度範囲（第１速度Ｎ１から第１境界速度Ｎｘまで）において、回転速度が高くなるほど（Ｎｘに近づくほど）小さくなるように設定される。ここで、後段噴射Ｆｂの噴射量割合とは、１サイクル中に噴射される総燃料（ここでは前段噴射Ｆａおよび後段噴射Ｆｂによる噴射燃料の合計）のうち後段噴射Ｆｂによる噴射燃料が占める重量割合のことである。このため、後段噴射Ｆｂの噴射量割合を小さくすることは、前段噴射Ｆａの噴射量割合を大きくすることと等価である。言い換えると、低速・高負荷域Ｄ１１では、回転速度が高くなるほど前段噴射Ｆａの噴射量割合が大きくなりかつ後段噴射Ｆｂの噴射量割合が小さくなるように噴射量が制御される。具体的に、低速・高負荷域Ｄ１１において、前段噴射Ｆａの噴射量割合は、最も低速側の条件（第１速度Ｎ１）で０．５、最も高速側の条件（第１境界速度Ｎｘ）で０．９とされる。一方、後段噴射Ｆｂの噴射量割合は、最も低速側の条件（第１速度Ｎ１）で０．５、最も高速側の条件（第１境界速度Ｎｘ）で０．１とされる。このように、前段噴射Ｆａおよび後段噴射Ｆｂの各噴射量割合の変化は常に逆の関係になるので、以下では後段噴射Ｆｂの噴射量割合について主に説明する。
【０１１２】
後段噴射Ｆｂの噴射量割合は、中速・高負荷域Ｄ１２に属する速度範囲（境界速度Ｎｘから第２速度Ｎ２まで）において、０．１以下の比較的小さい値に設定される。詳しくは、後段噴射Ｆｂの噴射量割合は、相対的に低速側の第１中速・高負荷域Ｄ１２ａにおいて回転速度が高いほど大きくなり、かつ相対的に高速側の第２中速・高負荷域Ｄ１２ｂにおいて一定値を保つように設定される。より具体的に、第１中速・高負荷域Ｄ１２ａにおける後段噴射Ｆｂの噴射量割合は、最も低速側の条件（第１境界Ｎ速度Ｎｘ）で０．０５、最も高速側の条件（第２境界速度Ｎｙ）で０．１とされる。また、第２中速・高負荷域Ｄ１２ｂにおける後段噴射Ｆｂの噴射量割合は、回転速度に拠らず０．１に設定される。
【０１１３】
なお、上述したとおり、中速・高負荷域Ｄ１２よりも高速側の第４運転領域Ａ４では、圧縮行程中の燃料噴射（後段噴射Ｆｂに相当する噴射）が禁止され、吸気行程中の燃料噴射のみが許可される。図１３中で第４運転領域Ａ４に対応する速度域（第２速度Ｎ２〜）において、後段噴射Ｆｂに連続する二点鎖線の波形が縦軸０の位置に、前段噴射Ｆａに連続する二点鎖線の波形が縦軸１の位置に図示されているのは、このことを表している。
【０１１４】
（６）作用効果
以上説明したように、当実施形態では、ＳＰＣＣＩ燃焼の実行領域の中でもエンジン負荷が高い第１運転領域Ａ１の高負荷域Ｄ１での運転時に、吸気行程中に燃料を噴射する前段噴射Ｆａと、圧縮行程中に燃料を噴射する後段噴射Ｆｂとがインジェクタ１５によって実行される。特に、高負荷域Ｄ１における低速側の一部である低速・高負荷域Ｄ１１での運転時には、後段噴射Ｆｂの噴射時期が圧縮行程後半に設定されるとともに、回転速度が高くなるほど後段噴射Ｆｂの噴射時期が遅くなりかつ噴射量割合が小さくなるように、インジェクタ１５が制御される。このような構成によれば、高負荷域Ｄ１での異常燃焼の抑制と燃費性能の向上とを両立できるという利点がある。
【０１１５】
すなわち、上記実施形態では、熱発生量が多くなるエンジンの高負荷域Ｄ１において、吸気行程中の前段噴射Ｆａに加えて、圧縮行程中に燃料を噴射する（詳しくは圧縮行程の前半または後半に燃料噴射を開始する）後段噴射Ｆｂが実行されるので、混合気がＳＰＣＣＩ燃焼を開始する直前（圧縮上死点の近傍）での燃焼室６の温度を後段噴射Ｆｂの気化潜熱により低下させることができ、高負荷域Ｄ１において懸念される異常燃焼の発生を効果的に抑制することができる。
【０１１６】
特に、高負荷域Ｄ１の中でも低速側に位置する低速・高負荷域Ｄ１１では、後段噴射Ｆｂの噴射時期（噴射開始時期）が圧縮行程後半まで遅角されるので、圧縮行程後半に生じ得る燃料の低温酸化反応を抑制することができ、混合気が過早に着火する異常燃焼であるプリイグニッションを抑制することができる。低温酸化反応とは、火炎を伴いながら高い熱エネルギーを発生させる高温酸化反応（実質的な燃焼反応）よりも前に生じる緩慢な酸化反応のことであり、燃焼室６が高温（例えば約５００℃以上６５０℃以下）になる圧縮行程の後半で生じ得ることが知られている。本願発明者等の知見によれば、この低温酸化反応は、上記低速・高負荷域Ｄ１１のような運転条件、つまり回転速度が低くかつ負荷が高い条件下で顕著に出現し易い。しかも、低温酸化反応が顕著に出現すると、その反応熱によって燃焼室６内の混合気（燃焼前の混合気）の温度が上昇するので、点火プラグ１６の火花点火による正規の燃焼開始時期よりも早くに混合気が自着火する現象であるプリイグニッションの発生確率が高くなる。これに対し、上記実施形態では、低速・高負荷領域Ｄ１１での運転時に、低温酸化反応が生じ易い環境になる圧縮行程後半まで後段噴射Ｆｂの噴射時期が遅角されるので、当該後段噴射Ｆｂの気化潜熱による冷却効果によって低温酸化反応の反応レベルを十分に低下させることができ、当該低温酸化反応に起因してプリイグニッション等の異常燃焼が誘発されるのを効果的に抑制することができる。
【０１１７】
しかも、低速・高負荷域Ｄ１１での後段噴射Ｆｂの噴射時期および噴射量割合が、エンジン回転速度に応じて変更される、つまり回転速度が高くなるほど後段噴射Ｆｂの噴射時期が遅くなりかつ噴射量割合が小さくなるように制御されるので、低温酸化反応の出現傾向に合わせた適切な時期に後段噴射Ｆｂを実行することができ、低速・高負荷域Ｄ１１で懸念されるプリイグニッション等の異常燃焼を効果的に抑制することができる。
【０１１８】
すなわち、本願発明者等の知見によれば、低温酸化反応はエンジン回転速度が高くなるほどその出現時期が遅くなり、かつ反応レベルも低くなる。これに対し、上記実施形態では、低速・高負荷域Ｄ１１内で回転速度が上昇したときには後段噴射Ｆｂの噴射時期が圧縮行程後半の中でもより遅い時期までシフトされるので、回転速度が高いほど出現時期が遅くなる上記低温酸化反応に合わせるように後段噴射Ｆｂを行うことができ、当該後段噴射Ｆｂによって燃焼室６を冷却して低温酸化反応の出現を抑制することができる。ただし、このように回転速度の上昇に応じて後段噴射Ｆｂの噴射時期を遅くした場合には、当該後段噴射Ｆｂの終了から燃焼開始（火花点火の時期）までの期間がかなり短くなるので、燃焼が開始される直前の燃焼室６内に局所リッチな混合気が形成され易くなり、スモークが発生したりＮＯｘの発生量が増大したりすることが懸念される。これに対し、上記実施形態では、回転速度の上昇に伴う後段噴射Ｆｂの遅角化と併せて、後段噴射Ｆｂの噴射量割合を小さくする対策が採られるので、上記のような不具合（スモークの発生等）を回避してエミッション性能を良好に維持することができる。しかも、上述のとおりエンジン回転速度が高い条件では低温酸化反応の反応レベルが低下するので、回転速度の上昇に応じて後段噴射Ｆｂの噴射量割合を小さくする上記の対策を採ったとしても、低温酸化反応は顕在化せず、プリイグニッション等の異常燃焼は抑制される。
【０１１９】
さらに、圧縮行程後半の後段噴射Ｆｂによって、低速・高負荷域Ｄ１１にて異常燃焼を伴わないＳＰＣＣＩ燃焼が可能になるので、仮に同運転領域Ｄ１１でＳＰＣＣＩ燃焼を禁止した場合（通常のＳＩ燃焼に切り替えた場合）に比べて、熱効率に優れたＳＰＣＣＩ燃焼の実行領域を拡大することができる。圧縮行程後半に後段噴射Ｆｂを実行することは、上記のとおり局所リッチな混合気の形成につながるので、燃料が未燃のまま排出される割合が増大し、燃費性能の悪化につながるおそれがある。しかしながら、本願発明者等の知見によれば、この未燃成分の増大による燃費性能の悪化代は、ＳＰＣＣＩ燃焼を実行することによる燃費向上代によって十分に補うことができる。すなわち、低速・高負荷域Ｄ１１にて後段噴射Ｆｂを実行しつつ混合気をＳＰＣＣＩ燃焼させる上記実施形態によれば、特段の燃費性能の悪化を招くことなくＳＰＣＣＩ燃焼の実行領域を拡大することができ、エンジンの燃費性能を実質的に向上させることができる。
【０１２０】
また、上記実施形態では、高負荷域Ｄ１における高速側の一部である中速・高負荷域Ｄ１２において、前段噴射Ｆａおよび後段噴射Ｆｂが実行されるとともに、後段噴射Ｆｂの噴射時期が上記低速・高負荷域Ｄ１１における最も高速側での噴射時期よりも早くされるので、低温酸化反応がより出現し難くなる条件で後段噴射Ｆｂが無用に遅角されるのを回避でき、異常燃焼を抑制しつつ燃費性能等を良好に確保することができる。すなわち、回転速度が相対的に高い中速・高負荷域Ｄ１２では、低温酸化反応の出現時期がより遅くなる（圧縮上死点に近づく）ものの、その反応レベルはかなり低いものとなる。また、ピストン５による混合気の圧縮開始から圧縮終了までの実時間（混合気の受熱時間）が短くなるので、混合気が過早に着火するような現象は起き難くなり、プリイグニッションの発生リスクは非常に低くなる。むしろ、中速・高負荷域Ｄ１２では、ノッキング、つまり混合気の燃焼途中にその燃焼領域の外側に位置する未燃ガスが局所自着火により急速燃焼する異常燃焼が起き易くなる。ノッキングは、プリイグニッションに比べればエンジンに及ぼす影響は少ないといえる。上記実施形態では、このように低温酸化反応が弱まりかつ異常燃焼のリスクが低くなる中速・高負荷域Ｄ１２において、後段噴射Ｆｂの噴射時期が早められるので、それによって後段噴射Ｆｂの噴射時期が低温酸化反応の出現時期よりも進角側にずれることになっても、プリイグニッションおよびノッキングが発生しない程度には低温酸化反応を抑制することができる。また、後段噴射Ｆｂの進角化によって混合気の局所リッチ化が軽減されるので、燃費性能およびエミッション性能に優れた燃焼を実現することができる。
【０１２１】
また、上記実施形態では、中速・高負荷域Ｄ１２での後段噴射Ｆｂの噴射量割合が、上記低速・高負荷域Ｄ１１における最も高速側での噴射量割合よりも大きくされるので、上記のように後段噴射Ｆｂの噴射時期が早められたとしても、当該後段噴射Ｆｂによる異常燃焼の抑制効果が極端に弱まることがなく、異常燃焼の抑制効果を十分に確保することができる。
【０１２２】
特に、上記実施形態では、中速・高負荷域Ｄ１２の中でも低速側に位置する第１中速・高負荷域Ｄ１２ａでの運転時に、回転速度が高くなるほど後段噴射Ｆｂの噴射時期が早くされるので、回転速度の上昇に伴い漸減する低温酸化反応のレベルに合わせて適切に後段噴射Ｆｂの噴射時期を早めることができ、異常燃焼を抑制しつつ燃費性能およびエミッション性能を向上させることができる。
【０１２３】
一方、中速・高負荷域Ｄ１２の中でも高速側に位置する第２中速・高負荷域Ｄ１２ｂでは、後段噴射Ｆｂの噴射時期が回転速度に拠らず圧縮行程の前半の所定時期（図１３の例ではＢＴＤＣ１７０°ＣＡ）に設定されるので、低温酸化反応がほとんど出現しない速度域まで回転速度が上昇したのに合わせて後段噴射Ｆｂを十分に進角させることができ、燃費性能およびエミッション性能への悪影響を可及的に低減することができる。
【０１２４】
また、上記実施形態では、高負荷域Ｄ１での外部ＥＧＲ率が中負荷域Ｄ２での外部ＥＧＲ率よりも低くなるようにＥＧＲ弁５３の開度が制御されるので（図１１参照）、高負荷域Ｄ１において燃焼室６に十分な量の空気を導入することができ、負荷に見合った十分に高いトルクを発生させることができる。一方、高負荷域Ｄ１で外部ＥＧＲ率が低くされると異常燃焼（プリイグニッションまたはノッキング）の発生リスクが高まるが、この異常燃焼は上述した後段噴射Ｆｂの効果によって十分に抑制される。すなわち、上記実施形態によれば、高い出力トルクを確保しつつ異常燃焼を抑制することができる。
【０１２５】
（７）変形例
上記実施形態では、エンジンが高負荷域Ｄ１で運転されているときに、吸気行程中に１回の前段噴射Ｆａを実行しかつ圧縮行程中に１回の後段噴射Ｆｂを実行したが、前段噴射Ｆａおよび後段噴射Ｆｂをそれぞれ複数回に分けて実行することも可能である。
【０１２６】
上記実施形態では、前段噴射Ｆａを吸気行程中に実行したが、前段噴射Ｆａは、後段噴射Ｆｂの開始時期よりも進角側の範囲において遅くとも圧縮行程の中央時期（ＢＴＤＣ９０°ＣＡ）までに終了すればよい。言い換えると、前段噴射は、吸気行程または圧縮行程前半に含まれかつ後段噴射よりも早い時期に燃料を噴射する限りにおいて、適宜その噴射時期を変更することが可能である。
【０１２７】
上記実施形態では、混合気の一部が点火プラグ１６の点火点からの火炎伝播により燃焼（ＳＩ燃焼）しかつその他の混合気が自着火により燃焼（ＣＩ燃焼）する部分圧縮着火燃焼（ＳＰＣＣＩ燃焼）を実行可能なエンジンに本発明を適用した例について説明したが、本発明が適用され得るエンジンは、混合気の少なくとも一部が予混合圧縮着火燃焼（ＨＣＣＩ燃焼）するエンジンであればよく、例えば燃焼室内の全ての混合気が予混合圧縮着火燃焼するエンジン（点火プラグによる火花点火が不要なエンジン）にも本発明を適用することが可能である。
【符号の説明】
【０１２８】
６  燃焼室
１５  インジェクタ
１６  点火プラグ
５０  ＥＧＲ装置
１０２  燃焼制御部
Ｄ１  高負荷域
Ｄ１１  低速・高負荷域
Ｄ１２  中速・高負荷域
Ｄ１２ａ  第１中速・高負荷域
Ｄ１２ｂ  第２中速・高負荷域
Ｄ２  中負荷域
Ｆａ  前段噴射
Ｆｂ  後段噴射
【図１】
2020176570.tif 000003
【図２】
2020176570.tif 000004
【図３】
2020176570.tif 000005
【図４】
2020176570.tif 000006
【図５】
2020176570.tif 000007
【図６】
2020176570.tif 000008
【図７】
2020176570.tif 000009
【図８】
2020176570.tif 000010
【図９】
2020176570.tif 000011
【図１０】
2020176570.tif 000012
【図１１】
2020176570.tif 000013
【図１２】
2020176570.tif 000014
【図１３】
2020176570.tif 000015